(57)【要約】      （修正有）【課題】穀粒をコンテナ毎に長期にわたって保管することができると共に、乾燥処理を行なえる設備にすることを課題とする。【解決手段】建屋（Ｔ）内に穀粒を収容するコンテナを多数載置するコンテナ載置装置（２１ａ〜２１ｄ）を並列して複数備え、隣接するコンテナ載置装置間に仕切部材（Ｓ）を設けて複数のコンテナ載置室（Ｄ1〜Ｄ4）を備え、コンテナ載置室は穀粒の水分を維持するために室内の温度と湿度を調節する空調装置（２３ａ〜２３ｄ）を備えると共に、少なくとも一つのコンテナ載置室には穀粒の水分を低減させる乾燥装置（２４）を備え、該乾燥装置はコンテナ載置装置に載置されている多数のコンテナの内の一部のコンテナを乾燥する構成とした。【選択図】図１
2008109903.tif 000002
【特許請求の範囲】
【請求項１】
穀粒を収容するコンテナ（ｋ）を多数載置するコンテナ載置装置（２１）を並列して複数備え、隣接するコンテナ載置装置（２１）間に仕切部材（Ｓ）を設けて複数のコンテナ載置室（Ｄ）を備え、コンテナ載置室（Ｄ）は穀粒の水分を維持するために室内の温度と湿度を調節する空調装置（２３ａ〜２３ｃ）を備えた穀粒保管用コンテナ載置室（Ｄ１〜Ｄ３）と、穀粒の水分を低減させる乾燥装置（２４）を備えた穀粒乾燥用コンテナ載置室（Ｄ４）とを備えたことを特徴とする穀粒収容設備。
【請求項２】
穀粒を収容するコンテナ（ｋ）を多数載置するコンテナ載置装置（２１）を並列して複数備え、隣接するコンテナ載置装置（２１）間に仕切部材（Ｓ）を設けて複数のコンテナ載置室（Ｄ）を備え、コンテナ載置室（Ｄ）は穀粒の水分を維持するために室内の温度と湿度を調節する空調装置（２３）を備えると共に、少なくとも一つのコンテナ載置室（Ｄ）には穀粒の水分を低減させる乾燥装置（２４）を備え、該乾燥装置（２４）はコンテナ載置装置に載置されている多数のコンテナ（ｋ）の内の一部のコンテナ（ｋ）を乾燥する構成としたことを特徴とする穀粒収容設備。
【発明の詳細な説明】
【技術分野】
【０００１】
本発明は穀粒をコンテナに収容して保管する穀粒収容設備に関する。
【背景技術】
【０００２】
特許文献１には穀粒を収容するコンテナを多数載置する乾燥ラックを備え、乾燥ラックのコンテナ内に穀粒を乾燥するための乾燥風を送る送風路を連結する構成が記載されている。
【特許文献１】特開平１１−１７３７５４号公報
【発明の開示】
【発明が解決しようとする課題】
【０００３】
小口の生産者毎の穀粒を保管・管理するためにコンテナ毎で保管する穀粒設備において、半乾状態（例えば水分１８％程度まで乾燥）の穀粒を保管して出荷直前に仕上がり水分（例えば１４％）に乾燥して出荷する場合がある。本発明は、穀粒をコンテナ毎に長期にわたって保管することができると共に、半乾状態の穀粒の乾燥処理を行なえる設備にすることを課題とする。また、それを安価な構成で行なうことができるようにする。
【課題を解決するための手段】
【０００４】
本発明は、上記課題を解決するために以下のような技術的手段を講じた。
すなわち、請求項１記載の発明は、穀粒を収容するコンテナ（ｋ）を多数載置するコンテナ載置装置（２１）を並列して複数備え、隣接するコンテナ載置装置（２１）間に仕切部材（Ｓ）を設けて複数のコンテナ載置室（Ｄ）を備え、コンテナ載置室（Ｄ）は穀粒の水分を維持するために室内の温度と湿度を調節する空調装置（２３ａ〜２３ｃ）を備えた穀粒保管用コンテナ載置室（Ｄ１〜Ｄ３）と、穀粒の水分を低減させる乾燥装置（２４）を備えた穀粒乾燥用コンテナ載置室（Ｄ４）とを備えたことを特徴とする穀粒収容設備とする。
【０００５】
また、請求項２記載の発明は、穀粒を収容するコンテナ（ｋ）を多数載置するコンテナ載置装置（２１）を並列して複数備え、隣接するコンテナ載置装置（２１）間に仕切部材（Ｓ）を設けて複数のコンテナ載置室（Ｄ）を備え、コンテナ載置室（Ｄ）は穀粒の水分を維持するために室内の温度と湿度を調節する空調装置（２３）を備えると共に、少なくとも一つのコンテナ載置室（Ｄ）には穀粒の水分を低減させる乾燥装置（２４）を備え、該乾燥装置（２４）はコンテナ載置装置に載置されている多数のコンテナ（ｋ）の内の一部のコンテナ（ｋ）を乾燥する構成としたことを特徴とする穀粒収容設備とする。
【発明の効果】
【０００６】
請求項１記載の発明によると、長期にわたってコンテナ（ｋ）内の穀粒を保管する場合には穀粒保管用コンテナ載置室（Ｄ１〜Ｄ３）のコンテナ載置装置（２１ａ〜２１ｃ）で保管し、コンテナ（ｋ）内穀粒を乾燥する場合には穀粒乾燥用コンテナ載置室（Ｄ４）に載置して乾燥装置（２４）で乾燥される。
【０００７】
コンテナ（ｋ）単位で管理する穀粒処理設備において、コンテナ（ｋ）毎に保管及び乾燥を行なうことができるため、管理のし易い穀粒収容設備にすることができる。
請求項２記載の発明によると、コンテナ（ｋ）単位で管理する穀粒処理設備において、コンテナ（ｋ）毎に保管及び乾燥を行なうことができるため、管理のし易い穀粒収容設備にすることができながら、乾燥装置（２４）はコンテナ載置装置（２１）に載置されている多数のコンテナ（ｋ）の内の一部のコンテナ（ｋ）を乾燥する構成としたことで乾燥装置（２４）の大きさをコンパクトなものにすることができる。
【発明を実施するための最良の形態】
【０００８】
発明を実施するための最良の形態として、生産者毎に穀粒を収容するコンテナを多数載置するラック設備を備えた穀粒収容設備について説明する。
建屋Ｔ内のＡは生産者が持ち込んだ玄米を荷受する荷受部で、玄米を荷受する荷受けホッパ１と、荷受けホッパ１で荷受した玄米を搬送する荷受けコンベア２と、荷受け昇降機３と、一時的に玄米を待機させる待機タンク４と、そして調製作業を行なうまで玄米を貯留する荷受けタンク５とを備えている。
【０００９】
Ｂは玄米を調製する調製部で、荷受けタンク５内の玄米から石を除去する石抜機６と、未熟米を選別する粒選別機７と、着色米を選別する色彩選別機８、玄米を混ぜ合わせて均質化する均質化装置９、藁屑等を選別する異物除去装置１２等を備えている。
【００１０】
Ｃは出荷部で、フレキシブルコンテナｆに収容して出荷するための計量装置１０と、紙袋に収容して出荷するための計量装置１１等を備えている。
Ｄは調製部Ｂの調製工程を経た玄米を長期間保管するためのラック室で、玄米を収容するコンテナｋを複数段に亘って多数載置するラック２１を複数並列して備え、ラック２１毎に備えるコンテナ搬送装置２２でコンテナｋ出し入れする構成である。
【００１１】
本実施の形態のラック２１ａ〜２１ｄは二列毎に仕切板Ｓを備え、ラック室Ｄ１〜Ｄ４をそれぞれ形成している。ラック室Ｄ１〜Ｄ４それぞれに二つずつ備えるラック２１ａ〜２１ｄ間にはラック２１にコンテナｋを出し入れするためのコンテナ搬送装置２２ａ〜２２ｄを備えている。コンテナ搬送装置２２ａ〜２２ｄは対向するラック２１間を横方向及び上下方向にコンテナｋを積んで移動自在に構成すると共に、ラック２１にコンテナｋを載置したり、取り出したりする構成である。
【００１２】
ラック室Ｄ１〜Ｄ４にはそれぞれラック室内の温度と湿度を制御する空調装置２３ａ〜２３ｄをそれぞれ備えており、一つのラック室Ｄ４には除湿装置２４を備えている。
ラック室Ｄ４の除湿装置２４は吸引ファン２４ａと吸引管２４ｂとを備え、吸引管２４ｂは図３に示すようにラック２１ｄの最下段に載置する各コンテナｋと切換弁２４ｃを介して接続する構成としている。
【００１３】
コンテナ搬送装置２２ａ〜２２ｄの搬送始端側はコンテナ搬送装置２２ａ〜２２ｄ間をコンテナｋを相互に移送するためのコンテナ移送コンベア２５と接続する構成としている。コンテナ移送コンベア２５はコンテナｋの向きを変更してコンテナ搬送装置２２ａ〜２２ｄと中継するためのコンテナ中継部２５ａと、コンテナ中継部２５ａからコンテナｋを別のラック搬送装置２２ａ〜２２ｄに移送する移送部２５ｂとを備えている。２６はコンテナｋを出入庫するための出入庫用コンベアである。２７はコンテナ移送コンベア２５と出入庫用コンベア２６を覆う覆い部材で、２８は覆い部材２７内に常温を送風してラック室Ｄ内から取り出すコンテナｋ内の穀粒を常温に戻すための送風ファンである。
【００１４】
ラック室Ｄ１〜Ｄ４における空調制御について説明すると、ラック室Ｄ１〜Ｄ４は玄米を長期間保管するための温度（例えば１５℃）及び湿度（５０〜６０％）になるよう空調装置２３ａ〜２３ｄを調節している。
【００１５】
本実施の形態の穀粒収容設備は主として生産者が持ち込んだ玄米を調製処理して保管する設備であるが、半乾状態（例えば１８％程度）の水分になるまで乾燥した籾を一時的に保管し、または仕上げ水分（例えば１４．５％）になるまで仕上げ乾燥するときに本設備を用いる場合について説明する。
【００１６】
別の乾燥施設（図示せず）から半乾状態（例えば１８％程度）の水分に乾燥した後、低温の貯留室（図示せず）で貯留していた籾を移送し、コンテナｋに収容し、コンテナ搬送装置２２ｄでラック室Ｄ４のラック２１ｄの最下段の乾燥用ラック位置ｒ１に載置する。そして、除湿装置２４の吸引ファン２４ａを駆動して切換弁２４ｃを開状態にすると吸引管２４ｂと半乾籾を収容したコンテナｋの吸引管連結部（図示せず）とが連通し、半乾籾は吸引作用を受け仕上げ水分まで乾燥される。
【００１７】
この構成により、ラック２１を玄米を保管するための保管用ラックだけでなく、籾摺工程前に半乾籾を籾摺りできる仕上げ水分まで乾燥する乾燥用ラックとして使用できる。
また、除湿装置２４は全てのラック室Ｄに備える必要がなく、さらに、ラック室Ｄ内の一部のコンテナｋに使用できる構成にすることで、コンパクトな除湿機でよく、安価な設備で仕上げ乾燥処理を行なうことができる。
【００１８】
また、穀温の低い籾はすぐに籾摺り作業を行なうことができず、低温度の貯留室（図示せず）から取り出した籾は常温になるまで時間を要していたが、除湿装置２４で仕上げ乾燥をしながらかつ穀温を常温に戻すことができるため、低温度の貯留室（図示せず）から取り出した半乾籾を短時間で籾摺り作業を行なえる籾にすることができる。
【００１９】
本実施の形態の除湿装置２４はラック２１ｄの最下段に載置するコンテナｋと連通可能に構成しているが、ラック２１ｄの最上段のコンテナあるいはその他特定の段のコンテナと連通する構成としても良い。
【００２０】
次に本実施の形態の設備を使用して、半乾籾を数日かけて仕上げ水分まで徐々に乾燥する工程について説明する。
半乾籾を収容したコンテナｋをラック室Ｄ４に搬送し、コンテナ搬送装置２２ｄで除湿装置２４で除湿乾燥を行なう乾燥用ラック位置ｒ１に載置する。そして、吸引管２４ｂとコンテナｋ内とを連通するようセットすると共に切換弁２４ｃを開状態とする。
【００２１】
除湿装置２４を起動し、吸引ファン２４ａによる吸引風がコンテナｋ内の半乾籾に作用して仕上げ水分付近（例えば１５．２％）になるまで除湿乾燥作業を行なう。仕上げ水分付近か否かの検出は、除湿乾燥作業を設定時間毎にコンテナｋをラック２１ｄからラック搬送装置２２ｄで取り出してコンテナ移送コンベア２５で搬送し、反転装置３０でコンテナｋを反転させて籾を仮入れホッパ３１に投入し、仮入れ計量機３２で計量されて再度コンテナｋに投入して基の乾燥用ラック位置ｒ１まで搬送する。
【００２２】
コンテナｋを反転して籾を排出してから再度コンテナｋに籾を投入するまでの間に、水分計３３で水分を測定する。そして、測定水分が設定された仕上げ水分付近（例えば１５．２％）に到達すると当該コンテナｋは乾燥用ラック位置ｒ１からコンテナ搬送装置２２ｄで保管用ラック位置ｒ２に搬送される。
【００２３】
このとき除湿乾燥初期の高水分時は重量計の値を検出し、前回測定値との差により半乾籾の水分値を決定すると共に、仕上げ水分付近になると水分計３３により水分値を決定する構成としてもよい。そして、測定水分が設定水分に到達するとコンテナｋがコンテナ搬送装置２２ｄで乾燥用ラック位置ｒ１から保管用ラック位置ｒ２、もしくは別のラック室Ｄのラック２１に搬送されるようする。
【００２４】
すなわち、高水分時は水分のバラツキが大きいため水分計での水分算出が困難なので重量で検出し、仕上げ水分が低くなると水分のバラツキが小さくなるため、水分計での測定精度が高くなる性質を利用したものである。
【００２５】
そして、除湿乾燥作業を終えると、当該コンテナｋは保管用ラック位置ｒ２にコンテナ搬送装置２２ｄで搬送して保管用ラック位置ｒ２に載置されて空調装置２３ｄの空調制御により自然に仕上げ水分（例えば１４．５％）まで徐々に通気乾燥される。
【００２６】
空いた乾燥用ラック位置ｒ１には次の半乾籾を収容したコンテナｋを載置して除湿乾燥する。コンテナｋ内の半乾籾はこのように半乾籾をまず除湿乾燥を行い、次いで自然通気乾燥を行なうことで過乾燥を防止することができ、かつ仕上げ時の水分のバラツキを小さくすることができる。また、仕上げ水分に到達したときに穀温が常温に近い状態にすることが可能になり、必要なときにすぐに籾摺り作業を行なうことができる。
【００２７】
また、仕上げ水分まで到達した籾のコンテナｋを別の保管用の温度湿度に調節しているラック室Ｄに移動して保管するようにしても良い。すなわち、この場合にはラック室Ｄ４は乾燥できる温度及び湿度（例えば２０℃〜２５℃で湿度６０％程度）に空調装置２３ｄを調節し、保管するラック室Ｄ１〜Ｄ３の空調装置を穀粒を保管できる温度及び湿度（１５℃で湿度７０％程度）に調節する。
【００２８】
次にコンテナｋをラック２１に入庫する方法及び出庫する方法について説明する。
本実施の形態の穀粒収容設備においては、入庫時のコンテナ毎の収容穀粒のデータ（品種・ランク・水分）を入力しておき、出庫時には、同じ品種の場合には水分から低い順に自動出庫する構成とする。通常コンテナｋ内には表示された重量（例えば１０００ｋｇ）よりも若干多く（例えば１０８０ｋｇ）を収容することで水分が低下して表示重量よりも少ない量になることを防止しているが、乾燥の進んだものを優先して出庫することで、出庫時に表示量よりも少ない量になっているトラブルを防止することができる。
【００２９】
なお、本実施例では籾を乾燥する装置として除湿装置２４を備えているが、加温装置にしても良い。
【図面の簡単な説明】
【００３０】
【図１】穀粒収容施設の平面図
【図２】穀粒収容施設の工程図
【図３】除湿装置を備えたラックを示す図
【図４】コンテナ移送コンベアを示す斜視図。
【符号の説明】
【００３１】
２１  コンテナ載置装置（ラック）
２３  空調装置
２４  乾燥装置（除湿装置）
Ｔ  建屋
ｋ  コンテナ
Ｓ  仕切部材
Ｄ  コンテナ載置室
【図１】
2008109903.tif 000003
【図２】
2008109903.tif 000004
【図３】
2008109903.tif 000005
【図４】
2008109903.tif 000006